(57)【要約】    【課題】      省電力化が図れ、且つ目的とする局からの信号に確実に同期させることができるようにすること。    【解決手段】  通信開始時からＵＷ検出を行ってスロット同期をとるために連続受信動作を行い、同期がとれた時点からフレーム情報のあるスロットを確認できるまで、各スロットのＵＷを検出する毎に一定時間だけデータの受信を行い、その他の期間ではデータの受信を行わない。これにより、消費電力の削減が可能となり、また他局の妨害波などに対して不要な同期を行わないので、確実に同期を保持することが可能となる。  【選択図】      図１
2006086760.tif 000002
【特許請求の範囲】
【請求項１】
スロット長とフレーム長が固定された時分割多重通信に用いられる時分割多重同期装置であって、
受信信号中に含まれる同期信号を検出する同期信号検出手段と、
通信開始時から最初に同期信号が得られるまで連続受信動作を行い、最初に同期信号が得られると該同期信号を基にスロット毎の同期をとり、次のスロット以降でフレーム情報が得られるまでスロット毎に前記フレーム情報を確認可能な時間だけ受信動作を行い他の期間では受信動作を停止する同期手段と、
を具備することを特徴とする時分割多重同期装置。
【請求項２】
請求項１に記載の時分割多重同期装置を具備することを特徴とする無線通信装置。
【請求項３】
スロット長とフレーム長が可変可能な時分割多重通信に用いられる時分割多重同期装置であって、
電界強度信号を測定して受信信号の強さを判定する電界強度測定手段と、
受信信号中に含まれる同期信号を検出する同期信号検出手段と、
通信開始時から最初に同期信号が得られるまで連続受信動作を行い、最初に同期信号が得られると該同期信号を基にスロット毎の同期をとり、次のスロット以降でフレーム情報が得られるまでスロット毎に前記フレーム情報を確認可能な時間だけ受信動作を行い、他の期間及び前記電界強度測定手段の判定結果から確認可能な空きスロット時では受信動作を停止する同期手段と、
を具備することを特徴とする時分割多重同期装置。
【請求項４】
請求項３に記載の時分割多重同期装置を具備することを特徴とする無線通信装置。
【請求項５】
スロット長とフレーム長が固定された時分割多重通信における同期方法であって、
フレーム情報の受信時に間欠受信動作を行い、受信動作期間で同期をとることを特徴とする時分割多重通信における同期方法。
【請求項６】
スロット長とフレーム長が固定された時分割多重通信における同期方法であって、
通信開始時からフレーム情報の受信時までの間に、最初に同期信号が得られるまで連続受信動作を行い、最初に同期信号が得られると該同期信号を基にスロット毎の同期をとり、次のスロット以降で前記フレーム情報が得られるまでスロット毎に前記フレーム情報を確認可能な時間だけ受信動作を行い他の期間では受信動作を停止することを特徴とする時分割多重通信における同期方法。
【請求項７】
スロット長とフレーム長が可変可能な時分割多重通信における同期方法であって、
電界強度を測定することで空きスロットを確認する一方、フレーム情報の受信時に間欠受信動作を行い、その受信動作期間で同期をとり、同期をとった後、空きスロット時には受信動作を停止することを特徴とする時分割多重通信における同期方法。
【請求項８】
スロット長とフレーム長が可変可能な時分割多重通信における同期方法であって、
電界強度を測定することで空きスロットを確認する一方、通信開始時からフレーム情報の受信時までの間に、最初に同期信号が得られるまで連続受信動作を行い、最初に同期信号が得られると該同期信号を基にスロット毎の同期をとり、次のスロット以降でフレーム情報が得られるまでスロット毎に前記フレーム情報を確認可能な時間だけ受信動作を行い、他の期間及び空きスロット時では受信動作を停止することを特徴とする時分割多重通信における同期方法。
【発明の詳細な説明】
【技術分野】
【０００１】
本発明は、時分割多重同期装置及び時分割多重通信における同期方法に関する。
【背景技術】
【０００２】
近年、周波数の有効利用や高効率のデータ転送を行うため、時分割多重通信を行う無線通信装置が普及している。この種の従来の無線通信装置には、複数スロットの使用時に、受信したユニークワード（ＵＷ）等の同期用信号に基づいて同期をとるようにした方式のものが提案されている（例えば、特許文献１参照）。
【０００３】
従来の時分割多重通信方式の無線通信装置に用いられる時分割多重同期装置について説明する。図７は、従来の時分割多重同期装置の構成を示すブロック図である。図７に示す時分割多重同期装置７は、受信バッファ１０２と、ＵＷ検出器１０３と、ビットカウンター１０４と、スロットカウンター１０５と、データ判別器１０７とから構成される。
【０００４】
この時分割多重同期装置７では、電源投入直後などフレーム情報を検出できない場合、無線部１０１から受信データを受信バッファ１０２に格納しつつ、ＵＷ検出器１０３でスロット内のＵＷを検出する。受信データ中にＵＷを検出すると、１スロット周期でカウントしているビットカウンター１０４をセットしスロットの同期を行う。そして、データ判別器１０７で、受信バッファ１０２に格納した受信データからＣＲＣ（Cyclic Redundancy Check）の確認を行ってスロットのデータを確認し、フレーム情報が有ればそのフレーム情報に基づき必要なスロット毎の受信を行う。
【０００５】
フレーム情報が確定された後は、ＵＷ検出器１０３が本来あるべきタイミングでＵＷを検出する。ビットカウンター１０４は、スロット終了時にオーバーフローを発生し、そのときのオーバーフロー信号が１フレーム周期でカウントしているスロットカウンター１０５に入力されて、次のスロットになったことを示す。
【０００６】
図８は、時分割多重通信で使用されているデータ構成と受信動作を示す図である。例として１フレームに３スロット多重されていて、１スロット目にフレーム情報、２スロット目に移動局Ａ、３スロット目に移動局Ｂが割り当てられている。この例では、受信動作は１スロット目の途中から開始しており、フレーム情報は不完全なデータとしてＣＲＣエラーを起こす。２スロット目以降は正常に受信できるもののフレーム情報がないため、次のスロットの受信を行う。このようにフレーム情報のあるスロットを受信するまで連続的に受信して、フレーム情報があるスロットを受信できれば、それ以降必要なスロットのみ受信動作を行う。
【特許文献１】特開平６−１４１００９号公報
【発明の開示】
【発明が解決しようとする課題】
【０００７】
しかしながら、従来の時分割多重同期装置においては、フレーム情報のあるスロットを受信してフレーム構成を理解できるまで連続して各スロットを受信してデータ解析を行わなければならないことから、フレーム情報のあるスロットの受信完了まで連続して受信動作をする必要があり、その間に電力を消費し、また別の局からの信号に同期してしまう虞があるという問題がある。
【０００８】
本発明はかかる点に鑑みてなされたものであり、省電力化が図れ、且つ目的とする局からの信号に確実に同期させることができる時分割多重同期装置及び時分割多重通信における同期方法を提供することを目的とする。
【課題を解決するための手段】
【０００９】
本発明の時分割多重同期装置は、スロット長とフレーム長が固定された時分割多重通信に用いられる時分割多重同期装置であって、受信信号中に含まれる同期信号を検出する同期信号検出手段と、通信開始時から最初に同期信号が得られるまで連続受信動作を行い、最初に同期信号が得られると該同期信号を基にスロット毎の同期をとり、次のスロット以降でフレーム情報が得られるまでスロット毎に前記フレーム情報を確認可能な時間だけ受信動作を行い他の期間では受信動作を停止する同期手段と、を具備する構成を採る。
【００１０】
本発明の無線通信装置は、上記時分割多重同期装置を具備する構成を採る。
【００１１】
本発明の時分割多重同期装置は、スロット長とフレーム長が可変可能な時分割多重通信に用いられる時分割多重同期装置であって、電界強度信号を測定して受信信号の強さを判定する電界強度測定手段と、受信信号中に含まれる同期信号を検出する同期信号検出手段と、通信開始時から最初に同期信号が得られるまで連続受信動作を行い、最初に同期信号が得られると該同期信号を基にスロット毎の同期をとり、次のスロット以降でフレーム情報が得られるまでスロット毎に前記フレーム情報を確認可能な時間だけ受信動作を行い、他の期間及び前記電界強度測定手段の判定結果から確認可能な空きスロット時では受信動作を停止する同期手段と、を具備する構成を採る。
【００１２】
本発明の無線通信装置は、上記時分割多重同期装置を具備する構成を採る。
【００１３】
本発明の時分割多重通信における同期方法は、スロット長とフレーム長が固定された時分割多重通信における同期方法であって、フレーム情報の受信時に間欠受信動作を行い、受信動作期間で同期をとることを特徴とする。
【００１４】
本発明の時分割多重通信における同期方法は、スロット長とフレーム長が固定された時分割多重通信における同期方法であって、通信開始時からフレーム情報の受信時までの間に、最初に同期信号が得られるまで連続受信動作を行い、最初に同期信号が得られると該同期信号を基にスロット毎の同期をとり、次のスロット以降で前記フレーム情報が得られるまでスロット毎に前記フレーム情報を確認可能な時間だけ受信動作を行い他の期間では受信動作を停止することを特徴とする。
【００１５】
本発明の時分割多重通信における同期方法は、スロット長とフレーム長が可変可能な時分割多重通信における同期方法であって、電界強度を測定することで空きスロットを確認する一方、フレーム情報の受信時に間欠受信動作を行い、その受信動作期間で同期をとり、同期をとった後、空きスロット時には受信動作を停止することを特徴とする。
【００１６】
本発明の時分割多重通信における同期方法は、スロット長とフレーム長が可変可能な時分割多重通信における同期方法であって、電界強度を測定することで空きスロットを確認する一方、通信開始時からフレーム情報の受信時までの間に、最初に同期信号が得られるまで連続受信動作を行い、最初に同期信号が得られると該同期信号を基にスロット毎の同期をとり、次のスロット以降でフレーム情報が得られるまでスロット毎に前記フレーム情報を確認可能な時間だけ受信動作を行い、他の期間及び空きスロット時では受信動作を停止することを特徴とする。
【発明の効果】
【００１７】
本発明によれば、省電力化が図れ、且つ目的とする局からの信号に確実に同期させることができる。
【発明を実施するための最良の形態】
【００１８】
以下、本発明の実施の形態について、図面を参照して詳細に説明する。
【００１９】
（実施の形態１）
図１は、本発明の実施の形態１に係る無線通信装置の受信側の構成を示すブロック図である。なお、図７と同一構成である部分には同一の符号を付してその説明は省略する。
この実施の形態に係る無線通信装置は、時分割多重通信方式による通信を行うものであり、無線部１０１と時分割多重同期装置１とを備えて構成される。時分割多重同期装置１は、受信バッファ１０２と、ＵＷ（ユニークワード）検出器１０３と、ビットカウンター１０４と、スロットカウンター１０５と、タイミング判別器１０６と、データ判別器１０７とを備えている。
【００２０】
なお、ＵＷ検出器１０３は同期信号検出手段に対応する。また、受信バッファ１０２、ビットカウンター１０４、スロットカウンター１０５、タイミング判別器１０６及びデータ判別器１０７は同期手段を構成する。
【００２１】
無線部１０１は、アンテナ１００にて受信した時分割多重された受信信号を無線周波数からベースバンド周波数へダウンコンバートし、さらに復調等を行って受信バッファ１０２並びにＵＷ検出器１０３に入力する。受信バッファ１０２は、無線部１０１から入力された受信信号を一時的に蓄積する。なお、後述するが、受信バッファ１０２に蓄積された
受信信号はデータ判別器１０７にて読み出される。ＵＷ検出器１０３は、無線部１０１から入力された受信信号からスロット内のＵＷを検出し、そのときのタイミングである受信タイミングの検出信号をビットカウンター１０４に入力する。なお、ＵＷ（ユニークワード）は、基地局装置と各移動局において互いに既知であるとともに、移動局毎に異なる固有の所定ビット数のビット列である。
【００２２】
ビットカウンター１０４は、受信信号が１ビット入力する毎に「１」を加算する。そして、１スロットでオーバーフローとなり、そのときのオーバーフロー信号をスロットカウンター１０５に入力する。また、ビットカウンター１０４は、オーバーフローする毎にオーバーフロー信号をスロットカウンター１０５にも入力する。さらに、オーバーフローする毎に自己をリセットする。
【００２３】
スロットカウンター１０５は、ビットカウンター１０４からオーバーフロー信号が入力されたときに「１」を加算する。すなわち「１」スロット毎に１を加算する。そして、１フレームでオーバーフローとなり、そのときに自己をリセットする。すなわち、オーバーフローする毎に自己をリセットする。タイミング判別器１０６は、ビットカウンター１０４のカウント値より現在のスロットの受信データ位置を推測し、データ判別器１０７にデータ判別タイミング信号を入力する。また、タイミング判別器１０６は、データ判別器１０７から入力されるデータ判別結果信号とビットカウンター１０４からのカウント値より推測した現在のスロットの受信データ位置とに基づいてデータ受信の必要、不必要を判断し、不必要な場合は必要のない機能の電源制御を行ってその機能を停止させる。
【００２４】
データ判別器１０７は、タイミング判別器１０６から入力されるデータ判別タイミング信号に基づき、受信バッファ１０２の内容を判別し、受信データにフレーム情報があるか否かを判定し、その結果をデータ判別結果信号としてタイミング判別器１０６に入力し、フレーム情報があった場合は引き続き連続受信動作を行い、フレーム情報がなかった場合はデータ判別器１０７により、次のスロットのＵＷを受信する直前まで機能を停止させるようにタイミング判別器１０６に指示を与える。本実施の形態では、通信を開始するために、ＵＷ検出を行ってスロット同期をとるために連続受信動作を行い、同期がとれた時点からフレーム情報のあるスロットが得られるまで、各スロットのＵＷを検出する毎に一定時間だけデータの受信を行い、その他の期間ではデータの受信を行わないようにしている。
【００２５】
次に、上記受信動作と時分割多重通信のデータとのタイミングについて、図を用いて説明する。図２は、本実施の形態に係る無線通信装置における受信タイミングを示す図である。図２において、本無線通信装置がフレーム構成を調査して通信を開始するため、まずＵＷ検出を行い、スロット同期をとるために連続受信動作を行う。このとき、図２の例では既に１スロット目のＵＷとフレーム情報の一部は通信を終えているため、１スロット目のデータを完全に受信できず、次のスロットを迎えることになる。
【００２６】
次に、受信動作を開始したスロットの次の２スロット目で初めてＵＷを検出してスロット同期を行い、そこから既知の一定時間受信を行い、その後にデータ判別を行う。データを判別した結果、現時点でＵＷを検出したスロットは移動局Ａのスロットであり、フレーム情報を受信できない。そこで、データ判別器１０７は、次のスロットのＵＷを受信する直前まで受信動作を停止するようタイミング判別器１０６に指示し、この指示によってタイミング判別器１０６は無線部１０１に電源制御信号を入力し、無線部１０１の動作を停止させる。すなわち、データの受信を行わないようにする。
【００２７】
次に、３スロット目のＵＷ直前で無線部１０１に対する電源制御信号の入力が停止し、これにより無線部１０１に電源が投入されて受信動作を開始する。受信動作を開始すると、ＵＷを検出し、再度スロット同期を行う。そして、そこから既知の一定時間受信を行う。そして、一定時間受信を行った後、再度データ判別を行う。データを判別した結果、現時点でＵＷを検出したスロットは移動局Ｂのスロットであり、フレーム情報を受信できない。そこで、データ判別部１０７は次のスロットのＵＷを受信する直前まで受信動作を停止するようにタイミング判別器１０６に指示し、この指示によってタイミング判別器１０６は無線部１０１に電源制御信号を入力し、無線部１０１の動作を停止させる。すなわち、データの受信を行わないようにする。
【００２８】
次に、４スロット目のＵＷ直前で無線部１０１に対する電源制御信号の入力が停止し、これにより無線部１０１に電源が投入されて受信動作を開始する。受信動作を開始すると、ＵＷを検出し、再度スロット同期を行う。そして、そこから既知の一定時間受信を行う。そして、一定時間受信を行った直後、再度データ判別を行う。データを判別した結果、現時点でＵＷを検出したスロットはフレーム情報のあるスロットであることが分かり、タイミング判別器１０６は引き続き受信を続けると判断し、電源制御を一時中断して連続受信を行う。次に、この４スロット目のデータ受信が完了し、フレーム情報が理解できた時点で、タイミング判別器１０６は、必要なスロットのデータの受信のみ行うようビットカウンター１０４とスロットカウンター１０５のタイミングにより電源制御を行う。
【００２９】
このように、本実施の形態に係る無線通信装置によれば、連続受信によりフレーム情報を受信することなく、フレーム情報を受信する前にある程度フレーム構成を予測して必要な部分のみ受信を行うので、消費電力の削減が可能となり、また他局の妨害波などに対して不要な同期を行わないので、確実に同期を保持することが可能となる。
【００３０】
（実施の形態２）
図３は、本発明の実施の形態２に係る無線通信装置の受信側の構成を示すブロック図である。なお、図７と同一構成である部分には同一の符号を付してその説明は省略する。
【００３１】
この実施の形態に係る無線通信装置は、時分割多重通信方式による通信を行うものであり、無線部１０１と時分割多重同期装置３とを備えている。時分割多重同期装置３は、ＵＷ検出器１０３とマイクロプロセッサ３０１とを備えており、マイクロプロセッサ（同期手段）３０１は、図１に示す時分割多重同期装置１が有する受信バッファ１０２、ビットカウンター１０４、スロットカウンター１０５、タイミング判別器１０６及びデータ判別器１０７それぞれの機能と同等の機能を有している。すなわち、マイクロプロセッサ３０１は、受信バッファ１０２の代わりにデータを格納しておく機能と、ビットカウンター１０４とスロットカウンター１０５の代わりにタイミングを計測する機能と、タイミング判別器１０６とデータ判別器１０７の代わりにデータ位置やデータ内容を判別する機能を備えている。これらの機能はプログラムとしてマイクロプロセッサ３０１の内部メモリ又は外部メモリに書き込まれている。
【００３２】
マイクロプロセッサ３０１は、無線部１０１から出力される受信データを格納し、ＵＷ検出器１０３からのＵＷ検出信号をトリガにスロット同期を行う。受信信号が１ビット入力する毎に「１」を加算するタイマを演算し、このタイマの値に基づき、ある程度受信できた時点で格納している受信データの内容を判断し、フレーム情報があれば連続受信を行い、フレーム情報がなければその時点で受信を中断し、次のスロットのＵＷ直前まで動作を停止し、電源を制御する。なお、ＵＷ検出器１０３については、マイクロプロセッサ３０１による受信バッファの演算で代用し、削除できることは容易に推測できる。
【００３３】
このように、本実施の形態に係る無線通信装置によれば、連続受信によりフレーム情報を受信することなく、フレーム情報を受信する前にある程度フレーム構成を予測して必要な部分のみ受信を行うので、消費電力の削減が可能となり、また他局の妨害波などに対して不要な同期を行わないので、確実に同期を保持することが可能となる。
【００３４】
また、上述した実施の形態１の無線通信装置よりも部品点数が少なくて済むので、装置本体の小型・軽量化が図れる。
【００３５】
（実施の形態３）
図４は、本実施の形態３に係る無線通信装置の受信側の構成を示すブロック図である。なお、図１に示す実施の形態１に係る無線通信装置と機能を同じにする部分には同じ符号を付けている。
【００３６】
この実施の形態に係る無線通信装置は、時分割多重通信方式による通信を行うものであり、無線部１０１と時分割多重同期装置４とを備えて構成され、上述した図１に示す実施の形態１に係る無線通信装置と同一構成の他に、電界強度測定器４０１を有している。電界強度測定器（電界強度測定手段）４０１は、無線部１０１からの電界強度信号を測定し、信号の強さを判定してデータ判別器１０７に通知する。データ判別器１０７は、タイミング判別器１０６に指示を出す他に、電界強度測定器４０１の測定結果からスロットのデータの状況を判断し、信号がない場合はデータの受信を次のタイミングまで停止するため、タイミング判別器１０６に指示を出す。
【００３７】
次に、上記受信動作とスロット長及びフレーム長が可変の場合における時分割多重通信のデータとのタイミングについて、図を用いて説明する。
【００３８】
図５は、本実施の形態に係る無線通信装置における受信タイミングを示す図である。図５において、本無線通信装置がフレーム構成を調査して通信を開始するため、ＵＷ検出を行い、スロット同期をとるため連続受信動作を行う。このとき、図５に示す例では既に１スロット目のＵＷとフレーム情報の一部は通信を終えており、データを受信することができず次のスロットを迎えることになる。また、データ判別器１０７は、受信動作開始とともに電界強度測定器４０１から得られる電界強度を監視する。
【００３９】
そして、次の２スロット目で初めてＵＷを検出しスロット同期を行う。そして、スロット同期をとった時点から既知の一定時間受信を行い、その後にデータ判別を行う。データを判別した結果、現スロットは移動局Ａのスロットであり、フレーム情報があるスロットではないので、データ判別器１０７は、次のスロットのＵＷを受信する直前まで受信動作を停止するようタイミング判別器１０６に指示し、タイミング判別器１０６にて電源制御が行われる。
【００４０】
次に、３スロット目のＵＷ直前で無線部１０１に対する電源制御信号の入力が停止し、これにより無線部１０１に電源が投入されて受信動作を開始するが、そのときにデータ判別器１０７は、電界強度測定器４０１からの信号により、電波がない空きスロットであることを確認し、フレーム情報を受信できないことから、次のスロットのＵＷを受信する直前まで受信動作を停止するようタイミング判別器１０６に指示し、タイミング判別器１０６にて再度電源制御が行われる。
【００４１】
次に、４スロット目のＵＷ直前で電源が立ち上がり受信動作を開始すると、そのときにデータ判別器１０７は、電界強度測定器４０１からの信号により、電波のある通常のスロットであることを確認し、ＵＷを検出して再度スロット同期を行う。そして、既知の一定時間受信を行った後、再度データ判別を行う。データを判別した結果、現スロットはフレーム情報のあるスロットであると確認すると、タイミング判別器１０６は、引き続き受信を行う判断を行い、電源制御を一時中断し連続受信を行う。次に、このスロットのデータ受信が完了し、フレーム情報が理解できた時点で、タイミング判別器１０６は、必要なスロットのデータの受信のみ行うようビットカウンター１０４とスロットカウンター１０５のタイミングにより電源制御を行う。
【００４２】
このように、本実施の形態に係る無線通信装置によれば、電界強度を測定し、電波がない空きスロットがある場合にはその空きスロット期間ではデータの受信を行わないので、スロット長とフレーム長が可変であるような時分割多重通信の空きスロット時における無駄な受信を無くすことができる。
【００４３】
（実施の形態４）
図６は、本実施の形態４に係る無線通信装置の構成を示すブロック図である。なお、図４に示す実施の形態３に係る無線通信装置と機能を同じにする部分には同じ符号を付けている。
【００４４】
この実施の形態に係る無線通信装置は、時分割多重通信方式による通信を行うものであり、無線部１０１と時分割多重同期装置６とを備えている。時分割多重同期装置６は、ＵＷ検出器１０３と、マイクロプロセッサ３０１と、電界強度測定器４０１とを備えており、マイクロプロセッサ３０１は、図４に示す時分割多重同期装置６が有する受信バッファ１０２、ビットカウンター１０４、スロットカウンター１０５、タイミング判別器１０６及びデータ判別器１０７それぞれの機能と同等の機能を有している。すなわち、マイクロプロセッサ３０１は、受信バッファ１０２の代わりにデータを格納しておく機能と、ビットカウンター１０４、スロットカウンター１０５の代わりにタイミングを計測する機能と、タイミング判別器１０６、データ判別器１０７の代わりにデータ位置やデータ内容を判別する機能を備えている。これらの機能はプログラムとしてマイクロプロセッサ３０１の内部メモリ又は外部メモリに書き込まれている。
【００４５】
マイクロプロセッサ３０１は、無線部１０１からの受信データを格納し、ＵＷ検出器１０３からのＵＷ検出信号をトリガにスロット同期を行う。受信信号が１ビット入力する毎に「１」を加算するタイマを演算し、このタイマの値に基づき、ある程度受信できた時点で格納している受信データの内容を判断し、フレーム情報があれば連続受信を行い、フレーム情報がなければその時点で受信を中断し、次のスロットのＵＷ直前まで動作を停止し、電源を制御する。また、マイクロプロセッサ３０１は、電界強度測定器４０１からの信号強度の判定を行い、空きスロットであるかの判定も行う。
【００４６】
なお、ＵＷ検出器１０３については、マイクロプロセッサ３０１による受信バッファの演算で代用し、削除できることは容易に推測できる。また、電界強度測定器４０１は、Ａ／Ｄ変換器を内蔵したマイクロプロセッサ３０１であれば、内蔵されたＡ／Ｄ変換器で代用し、削除できることは容易に推測できる。
【００４７】
このように、本実施の形態に係る無線通信装置によれば、電界強度を測定し、電波がない空きスロットがある場合には、その空きスロット期間ではデータの受信を行わないので、スロット長とフレーム長が可変であるような時分割多重通信の空きスロット時における無駄な受信を無くすことができる。
【００４８】
また、上述した実施の形態４に係る無線通信装置よりも部品点数が少なくて済むので、装置本体の小型・軽量化が図れる。
【産業上の利用可能性】
【００４９】
本発明は、時分割多重通信の受信装置として携帯電話やＰＨＳ(Personal Handy-phone System)に用いるに好適である。また、ＥＴＣ(Electronic Toll Collections System)等のＤＳＲＣ(Dedicated Short Range Communication)通信技術としての用途にも応用可能である。
【図面の簡単な説明】
【００５０】
【図１】本発明の実施の形態１に係る無線通信装置の受信側の構成を示すブロック図
【図２】実施の形態１に係る無線通信装置における受信タイミングを示す図
【図３】本発明の実施の形態２に係る無線通信装置の受信側の構成を示すブロック図
【図４】本発明の実施の形態３に係る無線通信装置の受信側の構成を示すブロック図
【図５】実施の形態３に係る無線通信装置における受信タイミングを示す図
【図６】本発明の実施の形態４に係る無線通信装置の受信側の構成を示すブロック図
【図７】従来の無線通信装置の受信側の構成を示すブロック図
【図８】従来の無線通信装置における受信タイミングを示す図
【符号の説明】
【００５１】
１、３、４、６、７  時分割多重同期装置
１００  アンテナ
１０１  無線部
１０２  受信バッファ
１０３  ユニークワード検出器
１０４  ビットカウンター
１０５  スロットカウンター
１０６  タイミング判別器
１０７  データ判別器
３０１  マイクロプロセッサ
４０１  電界強度測定器
【図１】
2006086760.tif 000003
【図２】
2006086760.tif 000004
【図３】
2006086760.tif 000005
【図４】
2006086760.tif 000006
【図５】
2006086760.tif 000007
【図６】
2006086760.tif 000008
【図７】
2006086760.tif 000009
【図８】
2006086760.tif 000010